(57)【要約】      （修正有）【課題】冷凍冷蔵倉庫などに設置される開閉体装置の隙間閉塞部材の隙間閉塞機能の低下を防ぎ、開閉体の気密性能を向上させることができる開閉体装置を提供する。【解決手段】開口部２３の上縁部を挟む左右縁部に固定される一対の平行なガイドレール１７に幅方向両側の縁部が案内されて、開口部２３を開閉するシャッターカーテン１９と、上縁部に沿って回転自在に配置されシャッターカーテン１９を巻き取り繰り出す巻取軸１５と、上縁部の上方に巻取軸１５に沿って設けられる接触部２５と、開口部２３を閉鎖したシャッターカーテン１９の繰り出し方向基端側で巻取軸１５に沿ってシャッターカーテン１９に設けられ、シャッターカーテン１９から延出して接触部２５に接触する可撓性を有したフラップ２７と、接触部２５にフラップ２７に沿って設けられ、少なくともフラップ２７を０℃以上に加熱する電熱線材２９と、を設けた。【選択図】図２
2020125682.tif 000002
【特許請求の範囲】
【請求項１】
開口部の上縁部を挟む左右縁部に固定される一対の平行なガイドレールに幅方向両側の縁部が案内されて、前記開口部を開閉する開閉体と、
前記上縁部に沿って回転自在に配置され前記開閉体を巻き取り繰り出す巻取軸と、
前記上縁部の上方に前記巻取軸に沿って設けられる接触部と、
前記開口部を閉鎖した前記開閉体の繰り出し方向基端側で前記巻取軸に沿って前記開閉体に設けられ、前記開閉体から延出して前記接触部に接触する可撓性を有した隙間閉塞部材と、
前記接触部に前記隙間閉塞部材に沿って設けられ、少なくとも前記隙間閉塞部材を０℃以上に加熱する電熱線材と、
を具備することを特徴とする開閉体装置。
【請求項２】
請求項１記載の開閉体装置であって、
前記接触部は、金属材からなり、前記上縁部に沿って少なくとも前記開閉体の幅方向の全長を有し、前記隙間閉塞部材の接触する板部を介して前記電熱線材が固定されることを特徴とする開閉体装置。
【請求項３】
請求項２記載の開閉体装置であって、
前記接触部は、前記隙間閉塞部材の接触する面側と反対側に閉鎖された電熱線材収容空間を有し、該電熱線材収容空間内に前記電熱線材が固定されて前記上縁部に固定されていることを特徴とする開閉体装置。
【発明の詳細な説明】
【技術分野】
【０００１】
本発明は、冷凍倉庫や冷蔵倉庫に用いられる開閉体装置に関する。
【背景技術】
【０００２】
例えば冷蔵庫や冷凍庫など（以下、「冷凍冷蔵倉庫」と称す）には、防熱扉の開放時、開口部からの冷気漏れを簡易的に抑制するようにした開閉体装置が設けられることがある。この冷凍冷蔵倉庫用の開閉体装置の開閉体は、シートやスクリーンなどで構成される。この開閉体装置は、一般的に防熱扉の庫内側に設けられる。開閉体は、冷凍冷蔵倉庫の庫内温度を保持するため、気密性の高いことが望ましい。一方で、開閉体装置は、その構造上、巻取軸から繰り出された開閉体が開口部を閉鎖した状態においても、開閉体と庫内上壁等の間、開閉体収納部の内部で隙間が生じる。その隙間を塞ぐ構成が幾つか提案されている（例えば特許文献１、２等参照）。
【０００３】
特許文献１に開示の開閉装置は、空間を仕切る開閉体と、この開閉体の周辺に配置された固定部とを備えた開閉装置において、閉鎖状態とされた開閉体と固定部との間に、開閉体により仕切られた両側の空間同士を連通する隙間が形成される。この隙間の少なくとも一部を塞ぐために、開閉体または固定部の少なくとも一方に隙間閉塞手段を設けている。これにより、遮断性能や遮蔽性能の向上を図る。
【０００４】
特許文献２に開示の開閉装置は、開閉体の閉鎖方向端部をスライドさせて閉鎖動作する開閉装置において、開閉体における開放方向側の部位に、一端側を開閉体に幅方向へわたって止着するとともに他端側を自由端部とした可撓性シート状の閉鎖体を備える。可撓性シート状の閉鎖体は、開閉体が略全閉される際に、自由端部を不動部位と一体的な受部に当接させる。閉鎖体は、中間部を撓ませるとともに、その撓んだ状態の中間部を、不動部位と一体的な接触部に開閉体幅方向へわたって接触させる。これにより、開閉体は、接触部との間で開閉体前後へ連通する隙間を塞ぐようにしている。
【先行技術文献】
【特許文献】
【０００５】
【特許文献１】特開２００２−３８８４１号公報
【特許文献２】特開２００６−４６０２６号公報
【発明の概要】
【発明が解決しようとする課題】
【０００６】
しかしながら、冷凍冷蔵倉庫、特に冷凍倉庫では、庫内温度が−３０℃程度になる。そのため、庫内外の温度差で開閉装置の各部においては、構成する素材の違い、すなわち断熱性素材ではない部分などもあって結露が生じることがあり、さらには凍結となる場合が有る。また、隙間閉塞手段や可撓性シート状の閉鎖体（以下、「隙間閉塞部材」と称す）は、それ自体は断熱性が低いので、庫内と外部とを仕切った際、外部側の面で結露が生じやすく、この隙間閉塞部材に接触する接触部との間で凍結が発生する。その結果、隙間閉塞部材が、固定部や接触部にくっついてしまう虞がある。また、隙間閉塞部材は、低温によって固くなると、撓むことができずに固定部や接触部に接近できず全く触れることができない状態や、固定部や接触部に均一に面で接触しなくなる場合があり、すなわち、隙間塞ぎ機能を発揮しなくなる虞がある。
【０００７】
本発明は上記状況に鑑みてなされたもので、その目的は、冷凍冷蔵倉庫などに設置される開閉体装置の隙間閉塞部材の隙間閉塞機能の低下を防ぎ、開閉体の気密性能を向上させることができる開閉体装置を提供することにある。
【課題を解決するための手段】
【０００８】
次に、上記の課題を解決するための手段を、実施の形態に対応する図面を参照して説明する。
本発明の請求項１記載の開閉体装置１１は、開口部２３の上縁部を挟む左右縁部に固定される一対の平行なガイドレール１７に幅方向両側の縁部４３が案内されて、前記開口部２３を開閉する開閉体１９と、
前記上縁部に沿って回転自在に配置され前記開閉体１９を巻き取り繰り出す巻取軸１５と、
前記上縁部の上方に前記巻取軸１５に沿って設けられる接触部２５と、
前記開口部２３を閉鎖した前記開閉体１９の繰り出し方向基端側で前記巻取軸１５に沿って前記開閉体１９に設けられ、該開閉体１９から延出して前記接触部２５に接触する可撓性を有した隙間閉塞部材２７と、
前記接触部２５に前記隙間閉塞部材２７に沿って設けられ、少なくとも前記隙間閉塞部材２７を０℃以上に加熱する電熱線材２９と、
を具備することを特徴とする。
【０００９】
この開閉体装置１１では、開閉体１９が開口部２３を閉鎖した状態において、開閉体１９の繰り出し方向基端側に設けられた隙間閉塞部材２７が、巻取軸１５に沿って接触部２５に接触する。電熱線材２９は、−３０℃程度の低温下においても、隙間閉塞部材２７が少なくとも０℃以上となるように接触部２５及び隙間閉塞部材２７を加熱する。これにより、隙間閉塞部材２７は、低温によって硬化するのを避けることができる。つまり、隙間閉塞部材２７は、例えば冷凍冷蔵倉庫の庫内が−３０℃程度の低温下においても可撓性を有していることが期待でき、開閉体１９の全幅方向に渡って接触部２５に密着する。その結果、開閉体１９と開口部２３の上縁部との隙間が塞がれる。また、接触部２５も、電熱線材２９の加熱によって０℃以上となる。このため、隙間閉塞部材２７は、接触部２５に凍結によって固着してしまうのを防止でき、また、巻き取り時に破損することも防止される。
【００１０】
本発明の請求項２記載の開閉体装置１１は、請求項１記載の開閉体装置１１であって、
前記接触部２５は、金属材からなり、前記上縁部に沿って少なくとも前記開閉体１９の幅方向の全長を有し、前記隙間閉塞部材２７の接触する板部を介して前記電熱線材２９が固定されることを特徴とする。
【００１１】
この開閉体装置１１では、接触部２５が金属材からなることで、良好な熱伝導性によって、電熱線材２９からの熱が接触部２５の長手方向全体に均一に伝わる。接触部２５は、開閉体１９の幅方向の全長を有するので、隙間閉塞部材２７の幅方向の全てを暖めることができる。
【００１２】
本発明の請求項３記載の開閉体装置１１は、請求項２記載の開閉体装置１１であって、
前記接触部２５は、前記隙間閉塞部材２７の接触する面側と反対側に閉鎖された電熱線材収容空間４９を有し、該電熱線材収容空間４９内に前記電熱線材２９が固定されて前記上縁部に固定されていることを特徴とする。
【００１３】
この開閉体装置１１では、接触部２５が、隙間閉塞部材２７の接触する面側と反対側に、電熱線材収容空間４９を有する。電熱線材２９は電熱線材収容空間４９内に設けられることで、例えば冷凍冷蔵倉庫２１の庫内雰囲気に直接曝されて配置される場合よりも、発熱効率が高まる。
【発明の効果】
【００１４】
本発明に係る請求項１記載の開閉体装置によれば、開閉体が開口部を閉鎖した状態において、隙間閉塞部材が少なくとも０℃以上となるように電熱線材で接触部及び隙間閉塞部材を加熱するので、隙間閉塞部材は、低温によって硬化するのを避けることができ、つまり、隙間閉塞部材は、例えば冷凍冷蔵倉庫の庫内が−３０℃程度の低温下においても可撓性を有していることが期待でき、開閉体の全幅方向に渡って接触部に密着することとなって、その結果、開閉体と開口部の上縁部との隙間を閉塞させることが可能となる。また、接触部も、電熱線材の加熱によって０℃以上となり、このため、隙間閉塞部材は、接触部に凍結によって固着してしまうのを防止でき、また、巻き取り時に破損することも防止され、隙間閉塞部材の隙間閉塞機能の低下を防ぎ、開閉体の気密性能を向上させることができる。
【００１５】
本発明に係る請求項２記載の開閉体装置によれば、接触部が金属材からなることで、良好な熱伝導性によって、電熱線材からの熱が接触部の長手方向全体に均一に伝わることとなり、開閉体の幅方向の全長を有する接触部によって、隙間閉塞部材の幅方向の全てを暖めることができ、安定的に隙間閉塞部材の凍結を防止することができる。
【００１６】
本発明に係る請求項３記載の開閉体装置によれば、接触部の電熱線材収容空間に電熱線材を設けたので、電熱線材は、例えば冷凍冷蔵倉庫の庫内雰囲気に直接曝されて配置される場合よりも、発熱効率が高まり、接触部の加熱効率を高めることができる。
【図面の簡単な説明】
【００１７】
【図１】本発明の実施形態に係る開閉体装置の概略を示す構成図である。
【図２】図１に示したシャッターカーテン収納部の巻取軸に直交する面による断面図である。
【図３】図１に示した一方のガイドレールとその近傍に設けられた諸部材の要部拡大平断面図である。
【発明を実施するための形態】
【００１８】
以下、本発明に係る実施形態を図面を参照して説明する。
図１は本発明の実施形態に係る開閉体装置１１の概略を示す構成図、図２は図１に示したシャッターカーテン収納部１３の巻取軸１５に直交する面による断面図、図３は図１に示した一方のガイドレール１７とその近傍に設けられた諸部材の要部拡大平断面図である。
本実施形態に係る開閉体装置１１は、例えば冷凍冷蔵倉庫２１や寒冷地に設置される倉庫や建物に設けられ、開閉体として例えばシート状のシャッターカーテン１９を用いて建物開口や冷凍冷蔵倉庫２１の出入口である開口部２３などを開閉する。なお、開閉体は、この他、スラットカーテンやスクリーンなどであってもよい。開閉体装置１１は、ガイドレール１７と、シャッターカーテン１９と、巻取軸１５と、接触部２５と、隙間閉塞部材としてのフラップ２７と、電熱線材２９と、を主要な構成として有している。
【００１９】
開口部２３の上縁部である上壁３１には、シャッターカーテン収納部１３が取り付けられる。シャッターカーテン収納部１３には、電動開閉機（図示略）により回転される巻取軸１５が収容される。巻取軸１５は、上壁３１に沿い、例えば、まぐさ（図示略）の上方に沿って回転自在に配置されシャッターカーテン１９を巻き取り、或いは繰り出す。シャッターカーテン収納部１３は、下面にカーテン出入口部３３（図２参照）を有する。開口部２３には、カーテン出入口部３３を挟んで、一対のガイドレール１７が左右縁部にそれぞれ固定される。
【００２０】
ガイドレール１７は、冷凍冷蔵倉庫２１に形成された開口部２３の上縁部を挟む左右の断熱壁３５に、一対のものが平行に固定される。ガイドレール１７は、開口部２３を挟んで離間して、上下方向（図１の上下方向）に垂直となって延在する。
【００２１】
本実施形態において、ガイドレール１７は、図３に示すアウターレール３７と、インナーレール３９と、からなる。インナーレール３９は、アウターレール３７に取り付けられる。アウターレール３７は、後述の三方枠によって断熱壁３５に固定される。
【００２２】
それぞれのインナーレール３９は、延在方向に直交する断面形状が相互に向き合うガイドレール溝４１（図３参照）を有して断面略コ字状に形成される。ガイドレール溝４１は、奥拡がりの蟻溝状に形成される。ガイドレール溝４１の幅は、シャッターカーテン１９の厚みよりも若干広く形成される。シャッターカーテン１９は、ガイドレール溝４１に縁部４３を挿入し、ガイドレール溝４１の奥側空間４５に後述の抜け止め部材４７を配置する。これにより、シャッターカーテン１９は、左右両側の縁部４３が、各ガイドレール１７によって上下方向に移動可能に保持される。
【００２３】
シャッターカーテン１９は、巻取軸１５に巻装され、両端の縁部４３がガイドレール溝４１に配置されることで一対のガイドレール１７に開閉移動が案内されて開口部２３を開閉する。
【００２４】
シャッターカーテン１９は、布製のスクリーン、或いは塩化ビニールやウレタン等の軟性樹脂シート、さらには布スクリーンを樹脂やゴムまたはゴム状物質で被覆して形成されたシート材等を用いることができる。また、防火や防煙等の防災目的に使用する場合には、例えば、シリカクロスまたはガラスクロス、或いはこれらに難燃，耐火被覆材としての耐火塗料や防水被覆材を吹き付け若しくは塗布しまたは含浸させたもの等を好適に用いることができる。さらに、シャッターカーテン１９は、ワイヤーメッシュ等の補強用の金属或いは樹脂線材等と組み合わされたものであってもよい。また、シャッターカーテン１９は、一般的には不透明なものが多く用いられるが、採光性や透視性を備えさせるために、透光性を有する窓を適宜設けたり、透光性を有する材質で形成したりするものでもよい。
【００２５】
抜け止め部材４７は、シャッターカーテン１９の幅方向両側の縁部４３に設けられる。本実施形態において、抜け止め部材４７は、シャッターカーテン１９の縁部４３に、溶着や縫着、接着等によって固定される。なお、抜け止め部材４７は、縁部４３に沿って固定された樹脂材料からなる帯状の翼状部（図示略）の端に形成されてもよい。抜け止め部材４７は、縁部４３の延在方向に沿って連続する例えば係合膨出条として形成される。この係合膨出条は、平断面視で円形状の膨出部を有する所謂ビード形状とされる。係合膨出条４７は、ガイドレール１７の上端からガイドレール溝４１に挿入されることで、ガイドレール１７に抜け止めされて係合する。これにより、係合膨出条４７は、シャッターカーテン１９の両側の縁部４３を、ガイドレール１７に移動自在に支持する。なお、抜け止め部材４７はシャッターカーテン１９の両側の縁部４３を、ガイドレール溝４１からの抜け出しを防止するためであるが、ある程度強い圧力がシャッターカーテン１９に掛かった場合、シャッターカーテン１９の破損等を避けるために、抜け止め部材４７がガイドレール溝４１から抜け出せるように構成してもよい。
【００２６】
抜け止め部材４７は、上記係合膨出条の他、ファスナーの務歯列を用いることができる。この務歯列は、複数の係合子、或いは螺旋形状の線状係合体によって構成することができる。務歯列は、ガイドレール溝４１のガイドレール溝４１の幅よりも大きく形成される。シャッターカーテン１９は、ガイドレール溝４１の奥側空間４５に、左右両側の縁部４３の務歯列が配置されることで、ガイドレール１７からの抜けが規制される。シャッターカーテン１９は、務歯列を採用することにより、厚みの薄いシャッターカーテン１９の縁部４３に、高強度の抜け止め部材を容易且つ安価に連続形成できる。
【００２７】
この他、抜け止め部材４７は、シャッターカーテン１９の縁部４３に袋状の挿入部を形成し、この挿入部に、縁部４３に沿って抜止めワイヤを挿入して構成することができる。また、抜け止め部材４７は、縁部４３の表裏に固定されるボルトナットであってもよい。
【００２８】
フラップ２７は、可撓性を有する合成樹脂製シート材や、シャッターカーテン１９の上記した素材と同様の素材からなる。フラップ２７は、開口部２３を閉鎖したシャッターカーテン１９の繰り出し方向基端側、すなわち巻取軸１５と連結している端部側で、巻取軸１５に沿ってシャッターカーテン１９に設けられる。フラップ２７は、シャッターカーテン１９から袋状に膨出する。フラップ２７は、帯状に形成されるシート材の短幅方向を撓ませて、これをシャッターカーテン１９の開閉方向とし、シャッターカーテン１９の幅方向を長手方向として、その幅方向に沿って長い袋状に形成され、シャッターカーテン１９の幅方向に垂直な断面形状が開放するＣ字形状、或いは、Ω形状となるように、長尺な両端縁が、シャッターカーテン１９に幅方向に渡って固定され、袋状となる。フラップ２７は、シャッターカーテン１９が開口部２３を閉鎖した状態で、シャッターカーテン１９の表面に対してＣ字状或いはΩ字状に膨出して接触部２５に当接し、シャッターカーテン１９と上壁３１との隙間をシャッターカーテン収納部１３内にて塞ぐ。なお、フラップ２７は少なくとも０℃以上では可撓性を有している素材で構成されているが、たとえ可撓性を有するまでには至らずともシャッターカーテン１９と上壁３１との隙間を塞ぐ性能を有していればよい。フラップ２７は、この隙間を塞ぐことにより、冷気漏れ、空気の流れ、昆虫進入などを防ぐ。
【００２９】
なお、フラップ２７は、シャッターカーテン１９に長尺な両端縁の一方が固定され、他方が自由端となるもの、すなわち特許文献２に開示されるような構成であってもよい。或いは、フラップ２７は、ヒレ状に形成されシャッターカーテン１９に対して片持ち状に延設されて、延出する先端縁側が接触部２５に当接する構成としても良い。
【００３０】
接触部２５は、上壁３１の上方に巻取軸１５に沿って設けられる。本実施形態において、接触部２５は、略Ｃ形チャンネル材よりなり、このチャンネル材の開口側を上壁３１に向け、シャッターカーテン収納部１３の内部における上壁３１側内隅部近傍に固定されている。本実施形態において、接触部２５は、略Ｃ形チャンネル材を使用するが、板状のもの、例えばＬ字形チャンネル材や、或いは角パイプなどの中空な部材であってもよく、フラップ２７が接触する面を有する板部を備えた形状であればよい。さらに、接触部２５は、シャッターカーテン収納部１３内の一側面であってもよい。この場合、フラップ２７は、シャッターカーテン収納部１３内の一側面（接触部２５）に直接当接して隙間を塞ぐことになる。
【００３１】
接触部２５は、金属材からなる。接触部２５は、巻取軸１５に沿って少なくともシャッターカーテン１９の幅方向の全長を有する。接触部２５は、例えばアルミの押出成形材によって作ることができる。この場合、接触部２５には、電熱線材２９の保持溝（図示略）を、押出成形材の断面形状の一部分として容易且つ高精度に設けることができる。
【００３２】
接触部２５は、フラップ２７の接触する面側と反対側に閉鎖された電熱線材収容空間４９を有して上壁３１に固定されている。本実施形態では、接触部２５が上記の略Ｃ形チャンネル材であるので、板状部分の外側面がフラップ２７と接触し、内方が電熱線材収容空間４９となる。
【００３３】
電熱線材２９は、接触部２５に、フラップ２７に沿って設けられる。本実施形態において、フラップ２７は、シャッターカーテン１９の幅方向の全長に渡って設けられる。従って、接触部２５及び電熱線材２９は、フラップ２７と同様にシャッターカーテン１９の幅方向の全長に渡るようにシャッターカーテン収納部１３内に設けられる。この電熱線材２９は、少なくともフラップ２７を０℃以上に加熱する。ここで、フラップ２７を０℃以上に加熱する意義としては、フラップ２７が接触部２５に、特に結露等の水分が氷となって凍結状態になるのを妨げるために、または凍結しているのを溶解するためであり、結露、凍結を防止する温度にするためである。
【００３４】
電熱線材２９は、接触部２５において、フラップ２７の接触する面側と反対側の面に固定される。つまり、電熱線材収容空間４９に露出して配置される。この電熱線材収容空間４９は、略Ｃ形チャンネル材の両端が塞がれることで、密閉空間とすることができる。すなわち、冷凍冷蔵倉庫２１内の冷気が侵入するのを防止するように構成できる。
【００３５】
電熱線材２９としては、例えば自己温度制御型のＰＴＣ(Positive Temperature Coefficient)ヒータを用いることができる。ＰＴＣヒータは、温度が上がるにつれ、電気抵抗値が正の係数をもって変化する。これにより、センサーなどの外部的な制御器を必要とせず、自ら適温を制御可能とする。電熱線材２９は、フィルムヒータ、リボンヒータの形態として用いることができる。
【００３６】
また、開閉体装置１１は、開口部２３に、三方枠５１を有する。三方枠５１は、左右一対の縦枠５３と、この一対の縦枠５３に挟まれる上部の横枠５５と、からなる。縦枠５３は、開口部２３の左右の断熱壁３５に固定されて、上記のガイドレール１７がそれぞれ取り付けられる。横枠５５は、上記したまぐさと兼ねてもよく、上壁３１の下縁、或いはカーテン出入口部３３の縁部分に取り付けられる。これら一対の縦枠５３と、横枠５５とは、門型となって連結される（図１参照）。
【００３７】
断熱壁３５には、開口部２３の縁に沿って木材等からなる化粧枠５７が門型となって取り付けられる。三方枠５１は、この化粧枠５７及び断熱壁３５を貫通する固定ボルト５９によって断熱壁３５に固定される。
【００３８】
三方枠５１を構成する縦枠５３、横枠５５のそれぞれには、上記と同様の電熱線材２９がそれぞれの部材の延在方向に沿って設けられる。縦枠５３には、ガイドレール１７が固定される。ガイドレール１７は、上記のように、インナーレール３９とアウターレール３７とからなる。電熱線材２９は、図３に示すように、アウターレール３７と、縦枠５３とに、２本を設けることができる。つまり、左右のガイドレール１７及び縦枠５３で、合計４本の電熱線材２９を設置することができる。
【００３９】
縦枠５３に設けられる電熱線材２９は、固定ボルト５９の頭部に近接して配置される。これにより、電熱線材２９は、固定ボルト５９が低温となって、断熱壁３５の外側で生じる結露や凍結を防止している。アウターレール３７に設けられる電熱線材２９は、防熱扉６１が開放された際、外気温度に近づくシャッターカーテン外側でのアウターレール３７の結露、凍結を防止する。また、このアウターレール３７に設けられた電熱線材２９は、防熱扉６１の閉鎖時におけるインナーレール３９の凍結を防止し、シャッターカーテン１９の移動に支障の生じることを防止している。さらに、図２に示すように、横枠５５に設けられる電熱線材２９は、カーテン出入口部３３を暖める。これにより、横枠５５の電熱線材２９は、カーテン出入口部分における結露、結露後の凍結を防ぎ、シャッターカーテン１９の開閉に支障の生じることを防止している。すなわち、電熱線材２９は、固定ボルト５９、インナーレール３９、カーテン出入口部３３等の接触や近接する部材、部位を０℃以上に加熱できる。
【００４０】
これら電熱線材２９は、冷凍冷蔵倉庫２１の内部でジャンクションボックス６３まで配線された後、さらに外部の制御盤６５まで配線され、商用電源等の電源と接続される。
【００４１】
次に、上記した構成の作用を説明する。
本実施形態に係る開閉体装置１１では、シャッターカーテン１９が開口部２３を閉鎖した状態において、シャッターカーテン１９の繰り出し方向基端側に設けられたフラップ２７が、巻取軸１５に沿って接触部２５に接触する。フラップ２７は、シャッターカーテン１９から袋状に膨出していることから、接触部２５に面で接触する。その結果、シャッターカーテン１９と上壁３１との隙間は、巻取軸１５の全長に渡って、フラップ２７と接触部２５とによって塞がれる。
【００４２】
フラップ２７は、合成樹脂材などからなることにより、可撓性を有する。フラップ２７の接触している接触部２５には、電熱線材２９が設けられる。電熱線材２９は、−３０℃程度の低温下において、フラップ２７が少なくとも０℃以上となるように接触部２５及びフラップ２７を加熱する。
【００４３】
開閉体装置１１は、内部が例えば−３０℃程度の低温で使用される冷凍倉庫などに配置される場合、防熱扉６１の内側に配置されて、閉鎖状態、すなわち、巻取軸１５から繰り出された状態の時間が多い。すなわち、閉鎖しているままであることから、フラップ２７が低温になり硬化する。また、凍結する場合もある。この凍結が長時間続き、或いは結露状態から凍結の固まりが成長して大きくなると、除去が難しくなる。しかし、電熱線材２９によって、結露、凍結が起きない温度となることにより、フラップ２７は、柔軟性を保ち、隙間閉塞の効果が失われない。つまり、フラップ２７は、−３０℃程度の低温下においても可撓性が損なわれず、シャッターカーテン１９の全幅方向に渡って可撓性で接触部２５に密着する。その結果、シャッターカーテン１９と上壁３１との隙間が塞がれる。
【００４４】
また、接触部２５も、電熱線材２９の加熱によって０℃以上となる。このため、フラップ２７は、接触部２５に凍結によって固着してしまうのを防止でき、シャッターカーテン１９の巻き取り時に破損することが防止される。また、フラップ２７が、可撓性を保つことで、シャッターカーテン１９の巻き取り時に、容易に撓むこととなり、シャッターカーテン１９の巻き取りの妨げを防止できる。
【００４５】
また、開閉体装置１１では、接触部２５が金属材からなることで、良好な熱伝導性によって、電熱線材２９からの熱が接触部２５の全体に均一に伝わる。接触部２５は、シャッターカーテン１９の幅方向の全長を有するので、フラップ２７の幅方向の全てを暖めることができる。
【００４６】
電熱線材２９は、板状の接触部２５におけるフラップ２７の接触する面側と反対側に固定される。電熱線材２９からの熱は、一旦、接触部２５に伝わった後、熱伝導によって、反対側の面である外側面よりフラップ２７に伝わる。このため、接触部２５は、金属の板厚分の体積が熱容量体、所謂ヒートシンクとして働き、均一な表面温度となって熱がフラップ２７へ伝わる。その結果、安定的にフラップ２７の凍結を防止し、すなわち保温状態とすることができる。
【００４７】
また、開閉体装置１１では、接触部２５が、フラップ２７の接触する面側と反対側に、電熱線材収容空間４９を有する。この電熱線材収容空間４９は、閉鎖されている。つまり、電熱線材２９は、閉鎖された電熱線材収容空間４９に配置される。電熱線材２９は、接触部２５の面に接触する部分以外は、電熱線材収容空間４９の空気に接する。
【００４８】
電熱線材２９は、接触部２５との接触部分以外が、閉鎖空間の空気によって断熱され、大きな対流熱抵抗を有する。従って、電熱線材２９は、冷凍冷蔵倉庫２１の庫内雰囲気に直接曝されて配置される場合よりも、発熱効率が高まる。電熱線材２９からの熱は、接触部２５へ熱伝導によって伝わり、熱通過する。これにより、電熱線材２９は、庫内雰囲気に直接曝される場合よりも、少ない消費電力で大きな温度勾配を有し、フラップ２７へ熱を効率的に伝えることが可能となる。その結果、接触部２５の加熱効率を高めることができる。
【００４９】
従って、本実施形態に係る開閉体装置１１によれば、電熱線材２９を備えた接触部２５を設けることによって、これに接触するフラップ２７の凍結を防ぎ、これにより、フラップ２７の隙間閉塞機能の低下を防ぎ、シャッターカーテン１９の気密性能を向上させることができる。
【符号の説明】
【００５０】
１１…開閉体装置
１５…巻取軸
１７…ガイドレール
１９…開閉体（シャッターカーテン）
２１…冷凍冷蔵倉庫
２３…開口部
２５…接触部
２７…隙間閉塞部材（フラップ）
２９…電熱線材
４３…縁部
４９…電熱線材収容空間
【図１】
2020125682.tif 000003
【図２】
2020125682.tif 000004
【図３】
2020125682.tif 000005
【手続補正書】
【提出日】令和2年6月12日(2020.6.12)
【手続補正１】
【補正対象書類名】明細書
【補正対象項目名】０００８
【補正方法】変更
【補正の内容】
【０００８】
次に、上記の課題を解決するための手段を、実施の形態に対応する図面を参照して説明する。
本発明の請求項１記載の開閉体装置１１は、開口部２３の上縁部を挟む左右縁部に固定される一対の平行なガイドレール１７に幅方向両側の縁部４３が案内されて、前記開口部２３を開閉する開閉体１９と、
前記上縁部に沿って回転自在に配置され前記開閉体１９を巻き取り繰り出す巻取軸１５と、
前記上縁部の上方に前記巻取軸１５に沿って設けられる接触部２５と、
前記開口部２３を閉鎖した前記開閉体１９の繰り出し方向基端側で前記巻取軸１５に沿って前記開閉体１９に設けられ、該開閉体１９から延出して前記接触部２５に接触する可撓性を有した隙間閉塞部材２７と、
前記接触部２５に前記隙間閉塞部材２７に沿って設けられ、少なくとも前記隙間閉塞部材２７を０℃以上に加熱する電熱線材２９と、
前記各ガイドレール１７に、その延在方向に沿って設けられる電熱線材２９と、
を具備することを特徴とする。
【手続補正２】
【補正対象書類名】明細書
【補正対象項目名】０００９
【補正方法】変更
【補正の内容】
【０００９】
この開閉体装置１１では、開閉体１９が開口部２３を閉鎖した状態において、開閉体１９の繰り出し方向基端側に設けられた隙間閉塞部材２７が、巻取軸１５に沿って接触部２５に接触する。電熱線材２９は、−３０℃程度の低温下においても、隙間閉塞部材２７が少なくとも０℃以上となるように接触部２５及び隙間閉塞部材２７を加熱する。これにより、隙間閉塞部材２７は、低温によって硬化するのを避けることができる。つまり、隙間閉塞部材２７は、例えば冷凍冷蔵倉庫の庫内が−３０℃程度の低温下においても可撓性を有していることが期待でき、開閉体１９の全幅方向に渡って接触部２５に密着する。その結果、開閉体１９と開口部２３の上縁部との隙間が塞がれる。また、接触部２５も、電熱線材２９の加熱によって０℃以上となる。このため、隙間閉塞部材２７は、接触部２５に凍結によって固着してしまうのを防止でき、また、巻き取り時に破損することも防止される。また、開口部２３の左右縁部に設けられるガイドレール１７の電熱線材２９によって、結露、凍結を防止し、開閉体１９の移動に支障の生じることを防止している。
【手続補正３】
【補正対象書類名】明細書
【補正対象項目名】００１０
【補正方法】変更
【補正の内容】
【００１０】
また、本発明の開閉体装置１１は、開口部２３の上縁部を挟む左右縁部に固定される一対の平行なガイドレール１７に幅方向両側の縁部４３が案内されて、前記開口部２３を開閉する開閉体１９と、
前記上縁部に沿って回転自在に配置され前記開閉体１９を巻き取り繰り出す巻取軸１５と、
前記上縁部の上方に前記巻取軸１５に沿って設けられる接触部２５と、
前記開口部２３を閉鎖した前記開閉体１９の繰り出し方向基端側で前記巻取軸１５に沿って前記開閉体１９に設けられ、該開閉体１９から延出して前記接触部２５に接触する可撓性を有した隙間閉塞部材２７と、
前記接触部２５に前記隙間閉塞部材２７に沿って設けられ、少なくとも前記隙間閉塞部材２７を０℃以上に加熱する電熱線材２９と、
前記開口部２３の上縁部に沿うカーテン出入口部３３の縁部分であるまぐさに設けられる電熱線材２９と、
を具備することを特徴とする。
【手続補正４】
【補正対象書類名】明細書
【補正対象項目名】００１１
【補正方法】変更
【補正の内容】
【００１１】
この開閉体装置１１では、開閉体１９が開口部２３を閉鎖した状態において、開閉体１９の繰り出し方向基端側に設けられた隙間閉塞部材２７が、巻取軸１５に沿って接触部２５に接触する。電熱線材２９は、−３０℃程度の低温下においても、隙間閉塞部材２７が少なくとも０℃以上となるように接触部２５及び隙間閉塞部材２７を加熱する。これにより、隙間閉塞部材２７は、低温によって硬化するのを避けることができる。つまり、隙間閉塞部材２７は、例えば冷凍冷蔵倉庫の庫内が−３０℃程度の低温下においても可撓性を有していることが期待でき、開閉体１９の全幅方向に渡って接触部２５に密着する。その結果、開閉体１９と開口部２３の上縁部との隙間が塞がれる。また、接触部２５も、電熱線材２９の加熱によって０℃以上となる。このため、隙間閉塞部材２７は、接触部２５に凍結によって固着してしまうのを防止でき、また、巻き取り時に破損することも防止される。また、この開閉体装置１１では、まぐさに設けられる電熱線材２９は、カーテン出入口部３３を暖める。これにより、まぐさの電熱線材２９は、カーテン出入口部分における結露、結露後の凍結を防ぎ、開閉体１９の開閉に支障の生じることを防止している。
【手続補正５】
【補正対象書類名】明細書
【補正対象項目名】００１２
【補正方法】変更
【補正の内容】
【００１２】
また、本発明の開閉体装置１１は、請求項１記載の開閉体装置であって、
前記開口部２３の上縁部に沿うカーテン出入口部３３の縁部分であるまぐさに電熱線材２９が設けられることを特徴としている。
この開閉体装置１１によれば、開閉体１９が開口部２３を閉鎖した状態において、開閉体１９の繰り出し方向基端側に設けられた隙間閉塞部材２７が、巻取軸１５に沿って接触部２５に接触する。電熱線材２９は、−３０℃程度の低温下においても、隙間閉塞部材２７が少なくとも０℃以上となるように接触部２５及び隙間閉塞部材２７を加熱する。これにより、隙間閉塞部材２７は、低温によって硬化するのを避けることができる。つまり、隙間閉塞部材２７は、例えば冷凍冷蔵倉庫の庫内が−３０℃程度の低温下においても可撓性を有していることが期待でき、開閉体１９の全幅方向に渡って接触部２５に密着する。その結果、開閉体１９と開口部２３の上縁部との隙間が塞がれる。また、接触部２５も、電熱線材２９の加熱によって０℃以上となる。このため、隙間閉塞部材２７は、接触部２５に凍結によって固着してしまうのを防止でき、また、巻き取り時に破損することも防止される。また、開口部２３の左右縁部に設けられるガイドレール１７の電熱線材２９によって、結露、凍結を防止し、開閉体１９の移動に支障の生じることを防止している。さらに、左右のガイドレール１７に加え、まぐさにおいても電熱線材２９によって暖めることができ、このまぐさに設けられる電熱線材２９は、カーテン出入口部３３を暖める。これにより、まぐさの電熱線材２９は、カーテン出入口部分における結露、結露後の凍結を防ぎ、開閉体１９の開閉に支障の生じることを防止している。
【手続補正６】
【補正対象書類名】明細書
【補正対象項目名】００１３
【補正方法】変更
【補正の内容】
【００１３】
なお、本発明の開閉体装置１１は、前記接触部２５は、金属材からなり、前記上縁部に沿って少なくとも前記開閉体１９の幅方向の全長を有し、前記隙間閉塞部材２７の接触する板部を介して前記電熱線材２９が固定されることとしてもよく、この開閉体装置１１では、接触部２５が金属材からなることで、良好な熱伝導性によって、電熱線材２９からの熱が接触部２５の長手方向全体に均一に伝わることとなり、接触部２５は、開閉体１９の幅方向の全長を有するので、隙間閉塞部材２７の幅方向の全てを暖めることができ、安定的に隙間閉塞部材の凍結を防止することができる。
また、本発明の開閉体装置１１は、前記接触部２５は、前記隙間閉塞部材２７の接触する面側と反対側に閉鎖された電熱線材収容空間４９を有し、該電熱線材収容空間４９内に前記電熱線材２９が固定されて前記上縁部に固定されていることとしてもよく、この開閉体装置１１では、接触部２５が、隙間閉塞部材２７の接触する面側と反対側に、電熱線材収容空間４９を有しており、電熱線材２９は、この電熱線材収容空間４９内に設けられることで、例えば冷凍冷蔵倉庫２１の庫内雰囲気に直接曝されて配置される場合よりも、発熱効率が高まり、接触部の加熱効率を高めることができる。
【手続補正７】
【補正対象書類名】明細書
【補正対象項目名】００１４
【補正方法】変更
【補正の内容】
【００１４】
本発明に係る開閉体装置によれば、開閉体が開口部を閉鎖した状態において、隙間閉塞部材が少なくとも０℃以上となるように電熱線材で接触部及び隙間閉塞部材を加熱するので、隙間閉塞部材は、低温によって硬化するのを避けることができ、つまり、隙間閉塞部材は、例えば冷凍冷蔵倉庫の庫内が−３０℃程度の低温下においても可撓性を有していることが期待でき、開閉体の全幅方向に渡って接触部に密着することとなって、その結果、開閉体と開口部の上縁部との隙間を閉塞させることが可能となる。また、接触部も、電熱線材の加熱によって０℃以上となり、このため、隙間閉塞部材は、接触部に凍結によって固着してしまうのを防止でき、また、巻き取り時に破損することも防止され、隙間閉塞部材の隙間閉塞機能の低下を防ぎ、開閉体の気密性能を向上させることができる。また、開口部の左右縁部に設けられるガイドレールの電熱線材によって、結露、凍結を防止し、開閉体の移動に支障の生じることを防止することができる。
【手続補正８】
【補正対象書類名】明細書
【補正対象項目名】００１５
【補正方法】変更
【補正の内容】
【００１５】
また、本発明に係る開閉体装置によれば、開閉体が開口部を閉鎖した状態において、隙間閉塞部材が少なくとも０℃以上となるように電熱線材で接触部及び隙間閉塞部材を加熱するので、隙間閉塞部材は、低温によって硬化するのを避けることができ、つまり、隙間閉塞部材は、例えば冷凍冷蔵倉庫の庫内が−３０℃程度の低温下においても可撓性を有していることが期待でき、開閉体の全幅方向に渡って接触部に密着することとなって、その結果、開閉体と開口部の上縁部との隙間を閉塞させることが可能となる。また、接触部も、電熱線材の加熱によって０℃以上となり、このため、隙間閉塞部材は、接触部に凍結によって固着してしまうのを防止でき、また、巻き取り時に破損することも防止され、隙間閉塞部材の隙間閉塞機能の低下を防ぎ、開閉体の気密性能を向上させることができる。また、この開閉体装置では、まぐさに設けられる電熱線材がカーテン出入口部を暖めることとなり、これにより、まぐさの電熱線材は、カーテン出入口部分における結露、結露後の凍結を防ぎ、開閉体の開閉に支障の生じることを防止することができる。
【手続補正９】
【補正対象書類名】明細書
【補正対象項目名】００１６
【補正方法】変更
【補正の内容】
【００１６】
さらに、本発明に係る開閉体装置によれば、開口部の左右縁部に設けられるガイドレールの電熱線材によって、結露、凍結を防止し、開閉体の移動に支障の生じることを防止することができ、また、これら左右のガイドレールに加え、まぐさにおいても電熱線材によって暖めることができ、このまぐさに設けられる電熱線材は、カーテン出入口部を暖めることとなり、これにより、まぐさの電熱線材は、カーテン出入口部分における結露、結露後の凍結を防ぎ、開閉体の開閉に支障の生じることを防止することができる。
【手続補正１０】
【補正対象書類名】特許請求の範囲
【補正対象項目名】全文
【補正方法】変更
【補正の内容】
【特許請求の範囲】
【請求項１】
開口部の上縁部を挟む左右縁部に固定される一対の平行なガイドレールに幅方向両側の縁部が案内されて、前記開口部を開閉する開閉体と、
前記上縁部に沿って回転自在に配置され前記開閉体を巻き取り繰り出す巻取軸と、
前記上縁部の上方に前記巻取軸に沿って設けられる接触部と、
前記開口部を閉鎖した前記開閉体の繰り出し方向基端側で前記巻取軸に沿って前記開閉体に設けられ、前記開閉体から延出して前記接触部に接触する可撓性を有した隙間閉塞部材と、
前記接触部に前記隙間閉塞部材に沿って設けられ、少なくとも前記隙間閉塞部材を０℃以上に加熱する電熱線材と、
前記各ガイドレールに、その延在方向に沿って設けられる電熱線材と、
を具備することを特徴とする開閉体装置。
【請求項２】
開口部の上縁部を挟む左右縁部に固定される一対の平行なガイドレールに幅方向両側の縁部が案内されて、前記開口部を開閉する開閉体と、
前記上縁部に沿って回転自在に配置され前記開閉体を巻き取り繰り出す巻取軸と、
前記上縁部の上方に前記巻取軸に沿って設けられる接触部と、
前記開口部を閉鎖した前記開閉体の繰り出し方向基端側で前記巻取軸に沿って前記開閉体に設けられ、前記開閉体から延出して前記接触部に接触する可撓性を有した隙間閉塞部材と、
前記接触部に前記隙間閉塞部材に沿って設けられ、少なくとも前記隙間閉塞部材を０℃以上に加熱する電熱線材と、
前記開口部の上縁部に沿うカーテン出入口部の縁部分であるまぐさに設けられる電熱線材と、
を具備することを特徴とする開閉体装置。
【請求項３】
請求項１記載の開閉体装置であって、
前記開口部の上縁部に沿うカーテン出入口部の縁部分であるまぐさに電熱線材が設けられることを特徴とする開閉体装置。